(57)【要約】【課題】  使用後に廃棄される量を少なくしながら、作業性に富む新規な水道管修理用木栓を提供する。【解決手段】  地中に埋設されている水道管２の破損箇所３に挿入する水道管修理用木栓１は、木栓１が受ける水圧を低減するために、先端４Ａが円錐状に形成され、この先端に導入口６Ａが位置する貫通路６が内部に形成された栓体４で構成する。このため、破損箇所３への挿入作業時に破損箇所３から噴出している水が貫通路６に導入されて栓体内部を通過するので、作業時に受ける水圧を軽減することができる。水道管修理用木栓１としては、栓体４単独ではなく、栓体４を着脱可能に保持するホルダー５で保持して使用してもよい。【選択図】図１
0003120705.tif 000002
【実用新案登録請求の範囲】
【請求項１】
地中に埋設されている水道管の破損箇所に挿入する水道管修理用木栓であって、
先端が円錐状に形成され、この先端に導入口が位置する貫通路が内部に形成された栓体で構成されていることを特徴とする水道管修理用木栓。
【請求項２】
請求項１記載の水道管修理用木栓において、
前記栓体の後端側をその一端側で保持する金属製のホルダーを有し、
前記ホルダーは、その一方が前記貫通路と連通し、他方が前記ホルダー外部と連通する案内路を有することを特徴とする水道管修理用木栓。
【請求項３】
請求項２記載の水道管修理用木栓において、
前記案内路の一方側は、前記貫通路の流路断面よりも大きく形成されていることを特徴とする水道管修理用木栓。
【請求項４】
請求項２または３記載の水道管修理用木栓において、
前記ホルダーは前記栓体を着脱可能に保持することを特徴とする水道管修理用木栓。
【請求項５】
請求項２、３または４記載の水道管修理用木栓において、
前記ホルダーの他端側には、金属製の打撃部が形成されていることを特徴とする水道管修理用木栓。
【請求項６】
請求項１ないし５の何れかに記載の水道管修理用木栓において、
前記栓体の後端側または前記ホルダーの他端側には、ハンドル部材が設けられていることを特徴とする水道管修理用木栓。
【考案の詳細な説明】
【技術分野】
【０００１】  本考案は、地中に埋設されている水道管の破損箇所に挿入する水道管修理用木栓に関する。
【背景技術】
【０００２】  従来、地中に埋設されている水道管が破損した場合、破損箇所周辺を掘り起し、水が噴出している箇所を露呈し、その破損箇所に地上から木製の木栓を挿入して嵌合し、一時的に破損箇所からの水の噴出を止水し、修復作業を行っている。
【考案の開示】
【考案が解決しようとする課題】
【０００３】  しかしながら、破損箇所に木栓を挿入するには、破損箇所から噴出する水の水圧に抗して木栓を押し込むので、その作業には大変な労力を要する。また、破損箇所周辺は水没しているので目視することはできず、より作業を困難にしている。木栓を破損箇所に嵌合するには、木栓の先端が破損箇所に挿入されて時点で、ハンマーなどで木栓の後端側を叩いて打ち込むので水圧に抗しながらでもしっかりと押さえ込めることが重要である。木栓は、先端が破損箇所に打ち込まれると、その破損箇所が木栓に食い込むとともに後端側がハンマーに打撃により潰れてしまうので、使用後は廃棄処分となる。しかし、木栓の長さは、水道管の埋設深度＋地上からの突出量となるので、その全長が長く、環境に考慮すると、使用する木材の量を低減するのが望ましい。
本考案は、使用後に廃棄される量を少なくしながら、作業性に富む新規な水道管修理用木栓を提供することを、その目的とする。
【課題を解決するための手段】
【０００４】  上記目的を達成するため、本考案にかかる地中に埋設されている水道管の破損箇所に挿入する水道管修理用木栓は、木栓が受ける水圧を低減するために、先端が円錐状に形成され、この先端に導入口が位置する貫通路が内部に形成された栓体で構成されたことを特徴としている。このため、破損箇所への挿入作業時に破損箇所から噴射される水が導入口から貫通路に導入されて栓体内部を通過するので、作業時に受ける水圧が軽減される。【０００５】  本考案にかかる水道管修理用木栓において、栓体の後端側をその一端側で保持する金属製のホルダーを有し、ホルダーは、その一方が貫通路と連通し、他方がホルダー外部と連通する案内路を有することを特徴としている。このため、貫通路に導入された水が案内路を介してホルダー外部へと流れ、破損箇所への挿入作業時に受ける水圧軽減される。【０００６】  本考案にかかる水道管修理用木栓においては、案内路の一方側は貫通路の流路断面よりも大きく形成されていて、貫通路を通った水が確実に案内路に導入されるように構成されているとともに、貫通路の流路断面が異なっても１つのホルダーで対応可能とされている。【０００７】  本考案にかかる水道管修理用木栓においては、ホルダーが栓体を着脱可能に保持することを特徴とし、栓体が交換可能な構成としている。
本考案にかかる水道管修理用木栓においては、ホルダーの他端側に打撃部が形成されていることを特徴とし、ホルダーの耐久性の確保が図られている。【０００８】  本考案にかかる水道管修理用木栓においては、栓体の後端側またはホルダーの他端側に、ハンドル部材が設けられていることを特徴とし、水圧がかかる場合でもしっかりと水道管修理用木栓を保持できる構造とされている。
【考案の効果】
【０００９】  本考案によれば、先端が円錐状に形成され、この先端に導入口が位置する貫通路が内部に形成された栓体で水道管修理用木栓を構成したので、破損箇所への挿入作業時に破損箇所から噴射される水が導入口から貫通路に導入されて栓体内部を通過するので、作業時に木栓が受ける水圧が軽減されるため、作業性が格段に良くなる。【００１０】  本考案によれば、栓体の後端側をその一端側で保持する金属製のホルダーを有し、ホルダーが、その一方が貫通路と連通し、他方がホルダー外部と連通する案内路を有するので、貫通路に導入された水が案内路を介してホルダー外部へと流れ、破損箇所への挿入作業時に受ける水圧軽減されるとともに、ホルダーの重さで水道管修理用木栓全体が重くなるので、水圧を受けても容易に浮き上がらなくなり、破損箇所への挿入作業性を向上することができる。【００１１】  本考案によれば、ホルダーが栓体を着脱可能に保持する構造であるので、栓体の長さをホルダーの長さ分だけ短くできると共に使用後において交換可能となり、廃棄量を低減することができる。【００１２】  本考案によれば、栓体の他端側またはホルダーの他端側に、ハンドル部材が設けられているので、水圧がかかる場合でもしっかりと水道管修理用木栓を保持できるので、破損箇所への挿入作業性をより向上することができる。
【考案を実施するための最良の形態】
【００１３】  本考案の実施の形態について図面を用いて説明する。
図１は、地中に埋設されている水道管２の破損箇所３に挿入する水道管修理用木栓１を示す。水道管修理用木栓１は、木製の栓体４と、栓体４の後端４Ｂを保持する金属製のホルダー５とを備えている。水道管２の内部には規定の水圧で水が流れている。【００１４】  木製の栓体４は、全体が円柱形状をなし、先端４Ａが円錐状に形成されている。栓体４の内部には、先端４Ａから後端４Ｂに向かって孔が貫通されていて、貫通路６が形成されている。本形態において、貫通路６は栓体４の軸中心線に沿って形成されている。貫通路６は、その導入口６Ａが水道管２の破損箇所３に挿入される先端領域内に配置され、排出口６Ｂが栓体４の後端４Ｂに開口されていれば良いので、必ずしも軸中心線に沿って形成する必要はなく、斜めに形成しても良い。ただ、水道管修理用木栓１は、破損箇所３に対して略垂直に挿入するのが望ましいことから、この状態のときに噴出する水を貫通路６に導入することを考えると、栓体４の軸中心線に沿うように垂直に形成するのが好ましい。【００１５】  ホルダー５は、金属管で本体５Ａが構成されている。ホルダー５の一端側となる本体５Ａの下部５Ｂの内部には、リンク部材７が溶接されていて、栓体４を保持するフランジ部８が形成されている。リンク部材７の中心孔７Ａの直径は、貫通路６の流路断面積よりも大きく形成されている。フランジ部８には、放射状に複数の孔９が穿孔されている。この孔９は、少なくとも互いに対向して２箇所は必要であり、１２０度間隔で３箇所、あるいは９０度間隔で４箇所設けてもよい。この各孔９には、栓体４を保持した状態でフランジ外周面側からビス１６が栓体４まで通達するようにねじ込まれることで、栓体４がホルダー５に着脱可能に保持される。【００１６】  ホルダー５の本体５Ａの内部には、一方側となる下端１０Ａが中心孔７Ａを介して貫通路６と連通し、他方側となる上端１０Ｂがホルダー５の外部と連通する案内路１０が形成されている。案内路１０は、下端１０Ａが広く、上端１０Ｂ側に向かうに従いその流路断面が小さくなる中空円錐形状を成している。下端１０Ａの大きさは、貫通路６の排出口６Ｂの流路断面よりも大きく形成されていて、排出口６Ｂが案内路１０内に位置するように配置されている。上端１０Ｂと対向する本体部分には、開口部５Ｄが形成されている。この開口部５Ｄには、開閉用のバルブ１１が装着されていて、このバルブ１１にホース１２が装着される。開口部５Ｄには、バルブ１１を設けずにフランジなどを形成し、直接ホース１２を装着するようにしてもよい。【００１７】  ホルダー５の他端側となる本体５Ａの上部５Ｃには、金属製の打撃部１３が形成されている。打撃部１３は金属製の円盤（鉄板）であって、本体５Ａの上端面に溶接固定されている。打撃部１３の直径は本体５Ａの直径と同一径としているが、本体５Ａから幾分出っ張るように大径としてもよい。このような構成とすると、作業者がハンマーなどで水道管修理用木栓１を破損箇所３に打ち込むときの打撃面積を大きくでき、確実な打撃を行えるので好ましい。上部５Ｃ側の本体外周面には、互いに対抗するようにナット１４が溶接などの手段によってそれぞれ固定されている。これらナット１４には、一端に螺子部���形成されたハンドル部材１５，１５がそれぞれ締結されて設けられる。【００１８】  水道管修理用木栓１の全長は、１２００ｍｍ〜１６００ｍｍの長さを有して、このうち、ホルダー５の全長は４００ｍｍ〜５００ｍｍ、その本体５Ａの直径は５０ｍｍ程度とされている。本形態における栓体４の直径もその後端部４Ｂでは５０ｍｍ程度とされ、先端４Ａ側では１０ｍｍ程度まで細められている。栓体４の直径は後端部４Ｂが本体５Ａのフランジ部８に挿入される大きさであり、先端４Ａが破損箇所３に挿入できる大きさであれば、途中の径はホルダー５よりも大径であっても構わない。ている。【００１９】  このような構成の水道管修理用木栓１は、最初、栓体４とホルダー５は、図示しない保管用のケーシング内に分割されて収納されている。また、このケーシング内には長さや径の異なる栓体４を複数用意しておくことで、破損箇所３の大きさや水道管の埋設位置に応じて適宜選択することができるので好ましい。【００２０】  作業者は、ホルダー５のフランジ部８に、適宜した栓体４の後端部４Ｂを挿入し、各孔からビス１６を栓体４まで到達するまでねじ込んでホルダー５に栓体４を装着する。また、本体５Ａのナット１４にそれぞれハンドル１５を締結する。この状態で水道管修理用木栓１は、従来の木製単独の木栓よりも金属製のホルダー５の分だけ、全体の重量が増えるので、破損箇所３から噴出している水の水圧が高くても、従来のものに比べて飛ばされ難くなる。また、作業者はハンドル１５を持って破損箇所３に対して水道管修理用木栓１の先端４Ａを合わせる作業が行えるので作業性が良い。【００２１】  作業者は、破損箇所に先端４Ａを挿入すべく地上から地中の水道管２に向かって水道管修理用木栓１を押し下げて行く。このとき木栓４の先端４Ａが円錐状に形成され、この先端４Ａに導入口６Ａが開口している貫通路６が栓体内部に形成されているので、破損箇所３への挿入作業時に破損箇所３から噴射される水が導入口６Ａから貫通路６に導入される。貫通路６に導入された水は、排出口６Ｂから案内路１０を介してホルダー外部へと流出するため、作業時に水道管修理用木栓１が受ける水圧が軽減され、従来のものに比べて作業性が格段に良くなる。【００２２】  先端４Ａと破損箇所３の位置が合い、先端４Ａが破損箇所３に挿入された時点で、水道管修理用木栓１を持っている作業者あるいは、この作業者とは別な作業者がハンマーなどで打撃部１３を打ち、水道管修理用木栓１の先端４Ａを破損箇所に押し込んで行く。このとき栓体４は木製であるので、水道管２が金属製の場合、破損箇所３が押し広げられつつ栓体４が進んで行き、栓体４の外周面に食い込む。そして、破損箇所３から噴出している水が栓体４で概ね止水されると、この破損箇所を交換する作業に入る。ホルダー５の上部５Ｃには、金属製の打撃部１３が設けられているので、ハンマーで水道管修理用木栓１を打ち込んだ場合でも、本体５Ａの上部５Ｃが潰れることがなくなり、ホルダー５の破損を防止でき、耐久性を向上することができる。【００２３】  作業が終了すると、栓体４には破損箇所３が食い込んでいるので、再使用はできないので廃棄することになるが、このとき、ビス１６を取り外すことでホル���ー５から栓体４を取り外すことができるので、ホルダー５が無駄になることはない。また、廃棄する栓体４は、従来のものよりもホルダー５の全長分だけ短くなるので、廃棄する木材量を低減することができる。【００２４】  案内路１０の一方側は貫通路６の排出口６Ｂの流路断面よりも大きく形成されているので、貫通路６を通った水が確実に案内路１０に導入されることになり、貫通路６の流路断面が異なっても１つのホルダー５で対応することができる。【００２５】  本形態では、水道管修理用木栓１を、栓体４とホルダー５を備えた構成で説明したが、噴出する水から受ける水圧を軽減するだけであれば、ホルダー５がない形態でもよい。例えば、図３に示すように、貫通路６を有する栓体４０の後端側４０Ｂ側にハンドル１５を着脱自在に装着して使用してもよい。この場合、貫通路６の導入口６Ａは栓体４０の円錐状の先端４０Ａに開口させる点は、栓体４の場合と同様であるが、排出口６Ｂの位置は異なる。【００２６】  図１，図２に示す栓体４の場合、ホルダー５の案内路１０に水を導入するため栓体４の後端４Ｂに排出口６Ｂを開口したが、栓体４０を単体で使用する場合、その後端４０Ｂに排出口６Ｂを開口してしまうと貫通路６に導入された水が打撃面となる後端４０Ｂから噴出することになり、打込み作業がやり難くなる。このため、木栓４０に設ける貫通路６の排出口６Ｂは少なくとも後端４０Ｂ、より詳しくは木栓４０の後端面以外の部位に開口するのが好ましい。例えば木栓４０の周面４０Ｃに開口するのであれば打込み作業の邪魔になることはないので好ましい。【００２７】  このような構成としても、破損箇所３への挿入作業時に破損箇所３から噴射される水が導入口６Ａから貫通路６に導入され、排出口６Ｂから外部へと流出するため、作業時に受ける水圧が軽減され、従来のものに比べて作業性が格段に良くなる。【００２８】  導入口６Ａと排出路６Ｂとの位置関係が鋭角であると貫通路６の鋭角になり、導入口６Ａから貫通路６内に導入された水が木栓４０の内部にぶつかり抵抗となるので、より栓体４０にかかる水圧を軽減するためには、導入口６Ａと排出路６Ｂとの位置関係が例えば、図３に２点破線で示すように鈍角、好ましくはより直線的な位置関係とし、貫通路６内の形状をより直線的に形成するのが好ましい。また、木栓４０を支えている作業者のことを考慮すると、この作業者に対向しない向きで排出口６Ｂを開口するのが望ましい。
【図面の簡単な説明】
【００２９】
【図１】  本考案の一形態である水道管修理用木栓の構成を示す分解斜視図である。
【図２】  図１に示す水道管修理用木栓の組付け状態を示す断面図である。
【図３】  本考案の別な形態であるホルダーを持たない水道管修理用木栓の構成を示す断面図である。
【符号の説明】
【００３０】  １      水道管修理用木栓
２      水道管
３      破損箇所
４      栓体
４Ａ    先端
４Ｂ    後端側
５      ホルダー
５Ｂ    一端側
５Ｃ    他端側
６      貫通路
６Ａ    導入口
１０    案内路
１０Ａ  一方
１０Ｂ  他方
１３    打撃部
１５    ハンドル部材
【図１】
0003120705.tif 000003
【図２】
0003120705.tif 000004
【図３】
0003120705.tif 000005